(57)【特許請求の範囲】
【請求項１】
トップシートと、バックシートと、前記トップシートと前記バックシートとの間に配置された吸水性コアと、を含む吸収体と、
前記吸収体の外側に配置され、上部に胴部開口部及び下部に脚部開口部が形成された外装体と、
前記外装体の上部側に配置された第１弾性部と、
前記第１弾性部よりも下部に配置された第２弾性部と、を備え
前記第２弾性部は、該第２弾性部の上部領域が前記外装体に対して直接または間接的に取り付けられ、該取り付けられた部分よりも下部は、前記外装体に対して非取付状態であり、
前記吸収体は、長手方向の一端領域と他端領域がそれぞれ、前記第２弾性部の幅方向中央よりも上部に取り付けられ、その取り付けられた部分より下部は、前記第２弾性部に対して非取付状態であること、
を特徴とする使い捨て衣類。
【請求項２】
請求項１に記載の使い捨て衣類であって、
前記第１弾性部と第２弾性部とは、別体であること、
を特徴とする使い捨て衣類。
【請求項３】
請求項１または２に記載の使い捨て衣類であって、
前記第２弾性部は下部が自由端であり、前記第１弾性部を伸長させて前記胴部開口部を開き、上部から前記胴部開口部を見ると、すり鉢状に見えること、
を特徴とする使い捨て衣類。
【請求項４】
請求項１から３のいずれか１項に記載の使い捨て衣類であって、
前記第２弾性部は、下端部を上方に折り返し可能であること、
を特徴とする使い捨て衣類。
【請求項５】
請求項１から４のいずれか１項に記載の使い捨て衣類であって、
前記外装体は、側部に開口部を有すること、
を特徴とする使い捨て衣類。
【請求項６】
請求項１から５のいずれか１項に記載の使い捨て衣類であって、
前記第２弾性部は、少なくとも、前記胴部開口部の側端部に沿った横方向に伸縮すること、
を特徴とする使い捨て衣類。
【請求項７】
請求項１から６のいずれか１項に記載の使い捨て衣類であって、
前記第２弾性部は、少なくとも、前記胴部開口部の側端部と交差する上下方向に伸縮すること、
を特徴とする使い捨て衣類。
【請求項８】
請求項１から７のいずれか１項に記載の使い捨て衣類であって、
前記吸収体の一端または他端側の少なくとも一方は、少なくとも、前記胴部開口部の側端部と交差する上下方向に伸縮すること、
を特徴とする使い捨て衣類。
【請求項９】
請求項１から８のいずれか１項に記載の使い捨て衣類であって、
前記外装体は、トランクス型であること、
を特徴とする使い捨て衣類。
【請求項１０】
請求項１から９のいずれか１項に記載の使い捨て衣類であって、
前記第２弾性部は、前記吸収体の全体を覆い、前記第２弾性部の下端部は、前記第２弾性部を平置きした場合に互いに接触する中央部が互いに接合されていること、
を特徴とする使い捨て衣類。
【請求項１１】
請求項１から１０のいずれか１項に記載の使い捨て衣類であって、
前記外装体は立体的に形成されていること、
を特徴とする使い捨て衣類。
【請求項１２】
請求項１から１１のいずれか１項に記載の使い捨て衣類であって、
前記外装体には装飾が施されていること、
を特徴とする使い捨て衣類。
【請求項１３】
請求項１から１２のいずれか１項に記載の使い捨て衣類であって、
前記外装体の表面には、色落ち防止処理がなされていること、
を特徴とする使い捨て衣類。
【請求項１４】
請求項１から１３のいずれか１項に記載の使い捨て衣類であって、
前記外装体、第１弾性部または第２弾性部は、不織布または紙と接する吸収性を有する部材を備えること、
を特徴とする使い捨て衣類。
【請求項１５】
請求項１から１４のいずれか１項に記載の使い捨て衣類であって、
前記吸収体は、前記第２弾性部に着脱可能であること、
を特徴とする使い捨て衣類。
【請求項１６】
トップシートと、バックシートと、前記トップシートと前記バックシートとの間に配置された吸水性コアと、を含む吸収体と、
前記吸収体の外側に配置され、上部に胴部開口部及び下部に脚部開口部が形成された外装体と、
前記外装体の上部側に設けられた第１弾性部と、
前記第１弾性部よりも下部に配置された第２弾性部と、
両端の領域がそれぞれ前記第２弾性部の幅方向中央よりも上部に取り付けられ、その取り付けられた部分より下部は、前記第２弾性部に対して非取付状態である保持シートと、を備え、
前記第２弾性部は、上部領域が前記外装体に対して直接または間接的に取り付けられ、該取り付けられた部分よりも下部は、前記外装体に対して非取付状態であり、
前記吸収体は、前記保持シートに対して着脱可能であること、
を特徴とする使い捨て衣類。
【発明の詳細な説明】
【技術分野】
【０００１】
本発明は、吸収体と、その外側を覆う外装体と、を備えた使い捨て衣類に関するものである。
【背景技術】
【０００２】
吸収体を備える衣類として、例えば、紙おむつがある。紙おむつは、乳児が装着することが多いため、大人が紙おむつを使用する場合、自分自身が紙おむつを必要とすることの恥ずかしさ等から大きな抵抗感がある。
また、子供用の紙おむつであっても、装着者に自尊心が芽生える年代になると、やはり装着に対して羞恥心を感じる場合がある。
【０００３】
このような問題を解決するために、通常の衣服と似せるように、紙おむつの外側にトランクス型の外装体を取り付けた使い捨て衣類がある（特許文献１参照）。
【先行技術文献】
【特許文献】
【０００４】
【特許文献１】特開平１１−２０６８０８号公報
【発明の概要】
【発明が解決しようとする課題】
【０００５】
しかし、特許文献１に記載の使い捨て衣類は、ウエストギャザーを形成している腰ゴム部に紙おむつが取り付けられている。このような使い捨て衣類は、紙おむつが尿を吸収すると重くなり、腰ゴム部に重力がかかる。この重力により使い捨て衣類がずれ落ちることを防止するため、腰ゴム部は通常の下着と比べて締め付けが強いため、装着者は、排泄前においても強い締め付けを強いられている。
また、紙おむつは、脚の周りも締め付けられるので、装着者が従来、トランクス型を好んでいた場合、その締め付けを好まない場合がある。
【０００６】
本発明の課題は、下着や軽装着と同等の外観を有し、腰回りや脚周りの締め付けが少ない使い捨て衣類を提供することである。
【課題を解決するための手段】
【０００７】
本発明は、以下のような解決手段により前記課題を解決する。
請求項１に記載の発明は、トップシート（１１）と、バックシート（１２）と、前記トップシート（１１）と前記バックシート（１２）との間に配置された吸水性コア（１３）と、を含む吸収体（１０，１１０，３１０，５１０，６１０）と、前記吸収体（１０，１１０，３１０，５１０，６１０）の外側に配置され、上部に胴部開口部（２１）及び下部に脚部開口部（２２）が形成された外装体（２０）と、前記外装体（２０）の上部側に配置された第１弾性部（２６）と、前記第１弾性部（２６）よりも下部に配置された第２弾性部（２７，２２７，４２７，５２７）と、を備え、前記第２弾性部（２７，２２７，４２７，５２７）は、該第２弾性部（２７，２２７，４２７，５２７）の上部領域が前記外装体（２０）に対して直接または間接的に取り付けられ、該取り付けられた部分よりも下部は、前記外装体（２０）に対して非取付状態であり、前記吸収体（１０，１１０，３１０，５１０，６１０）は、長手方向の一端領域と他端領域がそれぞれ、前記第２弾性部（２７，２２７，４２７，５２７）の幅方向中央よりも上部に取り付けられ、その取り付けられた部分より下部は、前記第２弾性部（２７，２２７，４２７，５２７）に対して非取付状態であること、を特徴とする使い捨て衣類（１，５０１，６０１）である。
請求項２に記載の発明は、請求項１に記載の使い捨て衣類（１，５０１，６０１）であって、前記第１弾性部（２６）と第２弾性部（２７，２２７，４２７，５２７）とは、別体であること、を特徴とする使い捨て衣類（１，５０１，６０１）である。
請求項３に記載の発明は、請求項１または２に記載の使い捨て衣類（５０１）であって、前記第２弾性部（５２７）は下部が自由端であり、前記第１弾性部（２６）を伸長させて前記胴部開口部（２１）を開き、上部から前記胴部開口部（２１）を見ると、すり鉢状に見えること、を特徴とする使い捨て衣類（５０１）である。
請求項４に記載の発明は、請求項１から３のいずれか１項に記載の使い捨て衣類（１，６０１）であって、前記第２弾性部（２７，２２７，４２７）は、下端部を上方に折り返し可能であること、を特徴とする使い捨て衣類（１，６０１）である。
請求項５に記載の発明は、請求項１から４のいずれか１項に記載の使い捨て衣類（１，５０１，６０１）であって、前記外装体（２０）は、側部に開口部（２９）を有すること、を特徴とする使い捨て衣類（１，５０１，６０１）である。
請求項６に記載の発明は、請求項１から５のいずれか１項に記載の使い捨て衣類（１，５０１，６０１）であって、前記第２弾性部（２７，２２７，５２７）は、少なくとも、前記胴部開口部（２１）の側端部に沿った横方向に伸縮すること、を特徴とする使い捨て衣類（１，５０１，６０１）である。
請求項７に記載の発明は、請求項１から６のいずれか１項に記載の使い捨て衣類（１，５０１，６０１）であって、前記第２弾性部（２７，２２７，４２７，５２７）は、少なくとも、前記胴部開口部（２１）の側端部と交差する上下方向に伸縮すること、を特徴とする使い捨て衣類（１，５０１，６０１）である。
請求項８に記載の発明は、請求項１から７のいずれか１項に記載の使い捨て衣類（１）であって、前記吸収体（３１０）の一端または他端側の少なくとも一方は、少なくとも、前記胴部開口部（２１）の側端部と交差する上下方向に伸縮すること、を特徴とする使い捨て衣類（１）である。
請求項９に記載の発明は、請求項１から８のいずれか１項に記載の使い捨て衣類（１，５０１，６０１）であって、前記外装体（２０）は、トランクス型であること、を特徴とする使い捨て衣類（１，５０１，６０１）である。
請求項１０に記載の発明は、請求項１から９のいずれか１項に記載の使い捨て衣類（５０１）であって、前記第２弾性部（５２７）は、前記吸収体（５１０）の全体を覆い、前記第２弾性部（５２７）の下端部は、前記第２弾性部（５２７）を平置きした場合に互いに接触する中央部が互いに接合されていること、を特徴とする使い捨て衣類（５０１）である。
請求項１１に記載の発明は、請求項１から１０のいずれか１項に記載の使い捨て衣類（１，５０１，６０１）であって、前記外装体（２０）は立体的に形成されていること、を特徴とする使い捨て衣類（１，５０１，６０１）である。
請求項１２に記載の発明は、請求項１から１１のいずれか１項に記載の使い捨て衣類（１，５０１，６０１）であって、前記外装体（２０）には装飾が施されていること、を特徴とする使い捨て衣類（１，５０１，６０１）である。
請求項１３に記載の発明は、請求項１から１２のいずれか１項に記載の使い捨て衣類（１，５０１，６０１）であって、前記外装体（２０）の表面には、色落ち防止処理がなされていること、を特徴とする使い捨て衣類（１，５０１，６０１）である。
請求項１４に記載の発明は、請求項１から１３のいずれか１項に記載の使い捨て衣類（１，５０１，６０１）であって、前記外装体（２０）、第１弾性部（２６）または第２弾性部（２７，２２７，４２７，５２７，６２７）は、不織布または紙と接する吸収性を有する部材を備えること、を特徴とする使い捨て衣類（１，５０１，６０１）である。
請求項１５に記載の使い捨て衣類（１，５０１，６０１）であって、前記吸収体（１０，１１０，３１０，５１０，６１０）は、前記第２弾性部（２７，４２７，６２７）に着脱可能であること、を特徴とする使い捨て衣類（１，５０１，６０１）。
請求項１６に記載の発明は、トップシート（１１）と、バックシート（１２）と、前記トップシート（１１）と前記バックシート（１２）との間に配置された吸水性コア（１３）と、を含む吸収体（６１０）と、前記吸収体（６１０）の外側に配置され、上部に胴部開口部（２１）及び下部に脚部開口部（２２）が形成された外装体（２０）と、前記外装体（２０）の上部側に設けられた第１弾性部（２６）と、前記第１弾性部（２６）よりも下部に配置された第２弾性部（６２７）と、両端の領域がそれぞれ前記第２弾性部（６２７）の幅方向中央よりも上部に取り付けられ、その取り付けられた部分より下部は、前記第２弾性部（６２７）に対して非取付状態である保持シートと、を備え、前記第２弾性部（６２７）は、上部領域が前記外装体（２０）に対して直接または間接的に取り付けられ、該取り付けられた部分よりも下部は、前記外装体（２０）に対して非取付状態であり、前記吸収体（６１０）は、前記保持シートに対して着脱可能であること、を特徴とする使い捨て衣類（６０１）である。
なお、上記構成は、適宜改良してもよく、また、少なくとも一部を他の構成物に代替してもよい。
【発明の効果】
【０００８】
本発明によれば、下着や軽装着と同等の外観を有し、腰回りや脚周りの締め付けが少ない使い捨て衣類を提供することができる。
【図面の簡単な説明】
【０００９】
【図１】使い捨て衣類の外観図である。
【図２】使い捨て衣類の断面図である。
【図３】吸収体を示す図であり、（ａ）は正面図、（ｂ）は（ａ）のＸ−Ｘ線に沿った断面図である。
【図４】外装体の胴部開口部付近の部分断面図である。
【図５】使い捨て衣類において、第２弾性部を折り返した断面図である。
【図６】他の実施形態における外装体の胴部開口部付近の部分断面図であり、第１実施形態の図４に対応する図である。
【図７】使い捨て衣類に使用される第２弾性部の断面図である。
【図８】本実施形態の比較形態を示した図である。
【図９】他の実施形態における外装体の胴部開口部付近の部分断面図であり、（ａ）は第２実施形態、（ｂ）は第３実施形態、（ｃ）は第４実施形態である。
【図１０】第５実施形態の使い捨て衣類の外観図である。
【図１１】第６実施形態の使い捨て衣類の外観図である。
【発明を実施するための形態】
【００１０】
以下、図面等を参照して、本発明の実施形態である使い捨て衣類１について説明する。なお、本実施形態の使い捨て衣類１の装着対象年齢は限定されず、大人でも、子供でもよい。また性別も限定されず、男女もいずれでもよい。さらには人間に限らず、犬や猫等のペット用であってもよい。さらに、尿を吸収する目的だけでなく、他のあらゆる排泄物、女性用の経血吸収目的であってもよい。なお、本明細書において「吸収」とは、尿等の吸収に限らず、女性用の経血、汗等のあらゆる液体の吸収や、他の排泄物の吸収を含む。
【００１１】
図１は、装着者Ｐにより装着された状態の使い捨て衣類１の外観図である。図２は使い捨て衣類１の断面図である。
なお、本明細書においては、図１で示すように、装着者Ｐが使い捨て衣類１を装着して起立した状態における上下となる方向を、使い捨て衣類１の説明において上下方向として説明する。
また、装着者Ｐが使い捨て衣類１を装着して起立した状態における左右となる方向を、使い捨て衣類１の説明において横方向として説明する。
さらに、装着者Ｐが使い捨て衣類１を装着した状態での前後方向（図２参照）を、使い捨て衣類１の説明において前後方向として説明する。
【００１２】
図１及び図２に示すように、使い捨て衣類１は、吸収体１０と、外装体２０と、外装体２０の上部側に配置された第１弾性部２６と、第１弾性部２６よりも下部に配置された第２弾性部２７とを備える。
【００１３】
（吸収体）
図３は、吸収体１０を示す図であり、（ａ）は正面図、（ｂ）は（ａ）のＸ−Ｘ線に沿った断面図である。
図示するように、吸収体１０は細長の略矩形部材で、トップシート１１と、バックシート１２と、トップシート１１とバックシート１２との間に配置される吸水性コア１３を備える。だだし、吸収体１０の形状は矩形に限らず、くびれ形状、楕円形状、その他の公知の吸収体のいずれの形状であってもよい。また、吸収体１０の構成も、上記に限らず、公知のいずれの構成であってもよい。
【００１４】
トップシート１１は、液体を透過する材料で製造されている。バックシート１２は、液体を透過しない材料で製造され、通気性を有するのが好ましい。
吸水性コア１３は、粉状または粒状の高分子吸収ポリマーを含有し、液体を吸収可能な材料で製造されている。ただしこれに限定されず、吸収性の材料であれば紙、粉砕パルプ、吸収性の高い不織布、高分子等、その他公知の材料のいずれの材料であってもよく、またはそれらを組み合わせたものでもよい。
【００１５】
トップシート１１とバックシート１２とは、吸水性コア１３よりも面積が大きい。吸水性コア１３は、トップシート１１とバックシート１２との間に挟み込まれ、接着されて固定されている。
なお、接着方法は、例えばホットメルト、縫合、ヒートシール、超音波による接着、糊付、その他公知の方法のいずれの方法であってもよく、又はそれらの組み合わせであってもよい。
【００１６】
トップシート１１とバックシート１２とにおける吸水性コア１３が内部に挟持されていない外周部は、互いに重なり合い、外周部の長手方向に沿った部分は内側に折曲されて折り部１４が形成されている。
【００１７】
折り部１４の縁部には、ゴム部材１５が取り付けられている。そして、折り部１４は吸収体１０の長手方向の前後端部において、トップシート１１の表面に接着されている。
接着方法は、例えばホットメルト、縫合、ヒートシール、超音波による接着、糊付、その他公知の方法のいずれの方法であってもよく、又はそれらの組み合わせであってもよい。
【００１８】
一方、折り部１４の長手方向の中央部は、トップシート１１の表面に接着されていない。このため、吸収体１０が図１及び２に示すようにＵ字型に曲げられたときに、ゴム部材１５の収縮力によって折り部１４の中央部は起立して、立体ギャザーを構成する。この立体ギャザーによって、尿の横漏れが防止される。
【００１９】
（外装体）
図１及び図２に戻り、外装体２０は、１つの胴部開口部２１と、２つの脚部開口部２２とを備えるトランクス型である。
ただし、これに限定されない。例えば、他の通常の下着のような形状であってもよい。一例として、女性用に両サイドが図１よりも短くカットされた形状（すなわち、両サイドが、上に上がった形状）でもよい。さらに女性用として、本実施形態より細身の形状であってもよい。さらには下着に限定されず、半ズボンや七分丈のズボン等の軽装用衣類の形状でもよく、１つの胴部開口部と１つの脚部開口部とを備えるスカート型であってもよい。
【００２０】
外装体２０は、一例として、前身頃２３と、後身頃２４と、それらの身頃と一体または別体のマチ部２５とを有する。なお、外装体２０は、マチ部２５を有さない構成であっても良い。
前身頃２３と後身頃２４とは、側部において接合され、また前身頃２３と後身頃２４とは股下部でマチ部２５を介して接合されている。このマチ部２５によって外装体２０は立体的に製造されている。
なお、接合方法は、例えばホットメルト、縫合、ヒートシール、超音波による接合、糊付、その他公知の方法のいずれの方法であってもよく、又はそれらの組み合わせであってもよい。
外装体２０は、側部に開口部２９を有してもよい。開口部２９は、面ファスナー、ボタン、シール等その他公知の方法で開閉可能であってもよい。また、開口部２９ではなく、側部に切れ込みやスリットを設けてもよい。
【００２１】
外装体２０の材料は、表側が紙で裏側が不織布の２層構造であり、表面には、図１に一例として示すように印刷が施されている。本実施形態によると、表面が紙であるので、不織布と比べて鮮明な模様を印刷することができ、美観を有する模様を外装体２０表面に付けることにより、装着者Ｐの使い捨て衣類１の装着に対する抵抗感をより低減することができる。
印刷面上は、例えば、ニス引き加工を行ったり、バインダーを加えたりすることにより、色落ち防止処理がなされていることが好ましい。バインダーとしては、ＰＶＡ，ＣＭＣ，ＥＶＡ，アクリル，ラッカー等公知の材料があげられる。また、色落ち防止処理がなされているインクを使用することもできる。
【００２２】
（第２弾性部の取付構造）
図４は、外装体２０の胴部開口部２１付近の部分断面図である。
図示するように、外装体２０の上端は、胴部開口部２１において内側に折り曲げられて折曲部２０Ｂを構成している。そして、外装体２０の外側部２０Ａ（折曲部２０Ｂ以外の部分）と折曲部２０Ｂとの間に第１弾性部２６が配置されている。
【００２３】
第１弾性部２６は、例えば帯状の不織布２６ａに、弾性部材２６ｂを伸長させた状態で長手方向に接合したものである。
なお、不織布２６ａと弾性部材２６ｂとの接合方法は、例えばホットメルト、縫合、ヒートシール、超音波による接合、糊付、その他公知の方法のいずれの方法であってもよく、又はそれらの組み合わせであってもよい。
【００２４】
そして、この第１弾性部２６を伸長した状態で外装体２０の外側部２０Ａと折曲部２０Ｂとの間に配置し、外側部２０Ａと第１弾性部２６と折曲部２０Ｂとを接合部２８において接合し、張力を緩めると、外装体２０を装着者Ｐの腰回りに抑えるウエストギャザーが形成される。
なお、図において接合部２８は縫合により接合されている形態で記載しているが、外側部２０Ａと第１弾性部２６と折曲部２０Ｂとの接合方法も、その他、例えばホットメルト、ヒートシール、超音波による接合、糊付、その他公知の方法のいずれの方法であってもよく、又はそれらの組み合わせであってもよい。
【００２５】
本実施形態で第１弾性部２６は、折曲部２０Ｂより幅が広く、折曲部２０Ｂの下方より延出している。そして、この延出部２６ｃに、第１弾性部２６と別体の第２弾性部２７が接合されている。すなわち、第２弾性部２７は、上部領域が外装体２６に対して、第１弾性部２６を介して間接的に接合されている（取り付けられている）。
【００２６】
第１弾性部２６に対する第２弾性部２７の接合方法は、例えばホットメルト、縫合、ヒートシール、超音波による接合、糊付、その他公知の方法のいずれの方法であってもよく、又はそれらの組み合わせであってもよい。
そして、その取り付けられた部分よりも下部は、外装体２０に対して非取付状態となっている。非取付状態とは、例えばホットメルト、縫合、ヒートシール、超音波による接着、糊付等されていない状態であり、装着者Ｐに装着されていない状態では第２弾性部２７と外装体２０の間に隙間が生じうる。
【００２７】
第２弾性部２７は、図１に示すように円環状で、本実施形態において、装着者Ｐの臀部を半分以上覆う長さである。ただし、これに限定されず、臀部の上部半分以下であってもよい。
また、第２弾性部２７は、全体に弾性を有していなくてもよく、一部でもよい。例えば、幅方向に一部、弾性を有していない部分があってもよい。
また、周方向の一部、例えば後述の吸収体１０を取り付ける領域に弾性を有していない部分があってもよい。
【００２８】
本実施形態で第１弾性部２６と第２弾性部２７とは別体であるので、互いに異なる太さのゴムを用いてもよく、異なる弾性力のゴムを用いてもよく、用途によって強さを変えてもよい。
第２弾性部２７は、外装体２０の側部に設けられた開口部２９より手を入れて下端部を上方に折り返し可能である。図５は第２弾性部２７の下端部を上方に折り返した状態を示した図である。なお、図においては外側に折り返した例を示すが、折り返し方向は内側でも外側もよい。
このように第2弾性部２７の長さを調整することで、第２弾性部２７のフィット感の調整が可能である。例えば、夜の場合は、第２弾性部２７をおりかえさずに長いままにすることで吸収体１０と装着者Ｐとの密着性を高めて尿等の漏れを防止し、昼の場合は第２弾性部２７を折り返して短くし、動きやすくすることができる。
【００２９】
第２弾性部２７の取付構造は、上記の構造に限定されない。図６は変形例を挙げたものである。
例えば、図６（ａ）に示すように、折曲部２０Ｂに第２弾性部２７を取り付けてもよい。
【００３０】
図６（ｂ）に示すように、第１弾性部２６と第２弾性部２７とを一体にしてもよい。この場合の一体にする方法は限定されず、外側の不織布が一枚でなくてもよく、第１弾性部２６と第２弾性部２７とを別途製造してつなぎあわせたものであってもよい。
【００３１】
図６（ｃ）に示すように、外側部２０Ａと折曲部２０Ｂとの接合部２８の近傍に第２弾性部２７を接合してもよい。
【００３２】
図６（ｄ）に示すように、第１弾性部２６の外周を外装体２０と別体の第２外装体２０Ｃで覆い、それの第２外装体２０Ｃで覆われた第１弾性部２６を外装体２０の上部に取り付け、第２外装体２０
Ｃの下端に第２弾性部２７を接合してもよい。
【００３３】
図６（ｅ）に示すように、外装体２０は折り返さずに、第１弾性部２６を外装体２０の上部に取り付け、第２弾性部２７を第１弾性部材２６の下部に取り付けてもよい。
【００３４】
図２に戻り、吸収体１０の長手方向の一端領域は、本実施形態において第２弾性部２７の、半分より上部の第２弾性部２７前側に接合されている。また、長手方向の他端領域は、第２弾性部２７の後側における半分より上部に接合されている。なお、ここで一端領域及び他端領域とは、必ずしも端部を含まなくてもよく、端部から離間した領域であってもよい。
【００３５】
そして、吸収体１０は、その接合された部分より下部において、第２弾性部に対して非取付状態である。なお、非取付状態とは、例えばホットメルト、縫合、ヒートシール、超音波による接着、糊付等されていない状態であり、装着者Ｐに装着されていない状態では第２弾性部２７と吸収体１０との間に隙間が生じうる。このように、吸収体１０は、第２弾性部２７と非接合なので、第２弾性部２７に対して例えば横方向に移動可能である。
なお、本実施形態では、第２弾性部２７に吸収体１０を取り付ける際、第２弾性部２７を伸長させない状態で吸収体１０を接合してもよく、また、第２弾性部２７を伸長させた状態で吸収体１０を接合してもよい。
【００３６】
そして、第２弾性部２７に対して吸収体１０の長手方向一領域と長手方向他端領域が固定されることにより、吸収体１０は図１及び図２に示すように外装体２０の内側に湾曲して保持される。
【００３７】
なお、本実施形態では第２弾性部２７の幅方向の半分より上部に吸収体１０が接合される例について説明したが、これに限定されず、ちょうど半分の位置、また半分より下部の位置に接合してもよい。
【００３８】
また、吸収体１０は、第２弾性部２７に対して着脱可能でもよく、その場合、面ファスナーや粘着力の弱い接着テープ等により取り付けられる。このように吸収体１０が着脱可能な場合、吸収体１０が尿等を吸収した場合に吸収体１０だけを交換すればよいので経済的である。
【００３９】
上記説明した、外装体２０、第１弾性部２６、第２弾性部２７の素材に、吸収性を有する部材である吸収材を含めてもよい。一例として第２弾性部２７について説明する。図７は、第２弾性部２７の断面図である。
【００４０】
図示するように第２弾性部２７は、吸収材２６ｄを備える。すなわち、２枚の不織布２６ａの間に弾性部材２６ｂだけでなく吸収材２６ｄも配置されている。
この変形例によると、第２弾性部２７が吸収材２６ｄを含むため、吸収材２６ｄを含まない場合と比べて水分の吸収性が向上する。
【００４１】
このように第２弾性部２７の水分の吸収性が向上するので、装着者が寝返りを打つなどして体位を変更した場合において吸収体から尿等の漏れが生じた場合であっても第２弾性部２７によって水分が吸収されるので、不快感が低減される。
なお、第２弾性部２７に限定されず、外装体、第１弾性部２６においても同様に、吸収材を含めてもよい。
【００４２】
吸収材としては、吸収性の材料であれば紙、粉砕パルプ、吸収性の高い不織布、高分子等、その他公知の材料のいずれの材料であってもよい。
また、第１弾性部２６に吸収材を含めると、厚みが増加することにより、収縮したときの皺が粗くなり、通気性が向上する。
【００４３】
以上、本実施形態によると、以下の効果を有する。
（１）ウエストギャザーに、直接、吸収体が取り付けられる比較形態に対する効果
（１−１）図８は、本実施形態に対する比較形態の使い捨て衣類１００を示した図である。比較形態は、本実施形態における第２弾性部２７を備えない構造であり、胴部開口部１２１に吸収体１１０が直接取り付けられている。
この比較形態によると、腰のゴム部分に紙おむつが取り付けられている。このような使い捨て衣類は、紙おむつが尿等を吸収すると、紙おむつが重くなり、腰のゴム部分に重力がかかる。この重力により使い捨て衣類が下にずれ落ちることを防止するため、ウエストギャザーは通常の下着と比べて締め付け強い。
【００４４】
しかし、本実施形態によると、吸収体１０は、ウエストギャザーに取り付けられておらず、第２弾性部２７に取り付けられている。また、第２弾性部２７によって吸収体１０の接合部よりも下も押さえているので、重みが加わっても、重力が分散される。
すなわち、ウエストギャザーに大きな重力が加わらないため、ウエストギャザーの締め付けを強くする必要がなく、通常の下着の程度の締め付けでよいので、装着感がよい。
【００４５】
（１−２）また、比較形態によると、吸収体１１０がウエストギャザーから股下までと上下に長いので、就寝中などにおいて横方向にずれやすい。吸収体１１０が装着中にずれると、尿漏れ等の心配がある。
【００４６】
しかし、本実施形態によると、吸収体１０の上下の長さが、ウエストギャザーから第２弾性部２７に取り付けられている位置までの分だけ短くなり、さらに、第２弾性部２７によって押さえられているので、吸収体１０の横方向のずれが低減される。
したがって、装着者が寝返りを打つなどして体位を変更した場合においても、尿漏れ等が生じにくくなるので使い捨て衣類１の交換頻度を少なくすることができる。
【００４７】
（２）吸収体１０と第２弾性部２７とが、対向面の全面でなく一部分で接合されていることの効果
（２−１）通気性
吸収体１０は第２弾性部２７に押さえられている、吸収体１０と、第２弾性部２７との接合は、互いの対向する面の全体ではなく、下側は接合されていない。このため、接触面積が少ないので、全体が接合されている場合と比べて通気性がよい。
【００４８】
（２−２）弾性
第２弾性部２７の弾性がある部分に吸収体１０を取り付ける場合において、第２弾性部２７を伸長させない状態で吸収体１０を接合すると、第２弾性部２７における、その取り付け部分の弾性を生じさせることができなくなる。
しかし、本実施形態では、吸収体１０と第２弾性部２７とは全面でなく一部分で接合されているだけなので、弾性が生じなくなる部分は一部である。このため、第２弾性部２７の弾性は十分機能して吸収体１０を覆うという機能を発揮することができる。
【００４９】
（２−３）吸収体の変形防止
第２弾性部２７の弾性がある部分に吸収体１０を取り付ける場合、第２弾性部２７を伸長させた状態で吸収体１０全体を接合すると、第２弾性部２７にかけていた張力がなくなったときに吸収体１０にしわがよる。
しかし、本実施形態では、第２弾性部２７に対して、吸収体１０の全体ではなく、長手方向一端領域と長手方向他端領域とが固定されるので、第２弾性部２７にかけていた張力がなくなったときに吸収体１０にしわがよるようなことがない。
【００５０】
（３）図４に示すように、吸収体１０を外装体２０に直接取り付けないため、吸収体１０の接合箇所が外装体２０の外側から見えず、外観が損なわれることがない。また、このため、吸収体１０の取り付けがきれいにできなくても、外観に影響を与えないため、吸収体１０の取り付けをラフに行うことができる。
【００５１】
（４）吸収体１０は、第２弾性部２７に対して例えば横方向に多少は移動可能であるので、装着者Ｐが吸収体１０を適宜移動させることが可能である。そして、このように移動可能であるにもかかわらず、吸収体１０は、第２弾性部２７によって装着者Ｐに押さえられているので、上述のような就寝中の不本意な横方向のずれは低減される。
【００５２】
（５）製造工程としては、外装体２０に第２弾性部２７を取り付けた後で、吸収体１０を第２弾性部２７に取り付けることもできるので、異なる吸収体１０を取り付けたり、吸収体１０の取り付け位置を変更したりすることが容易である。
すなわち、昼用の場合、小さい吸収体１０を取り付けたり、吸収体１０の位置を比較的下方に取り付け、夜用の場合、大きい吸収体１０を取り付けたり、吸収体１０の位置を比較的上方に取り付ける等を容易にすることができるので製造コストを低減することができる。
【００５３】
（６）本実施形態の使い捨て衣類１は、図１に示すように、装着した際に第２弾性部２７が装着者Ｐの腰部から臀部に至る部分を覆うので、安定感やフィット感に優れる。
【００５４】
（７）本実施形態は、上述のように安定感に優れているにもかかわらず、いわゆる、おむつタイプではないため、脚まわりを締め付ける構成ではない。そして、外装体２０もトランクスタイプであるので脚周りがゆったりしている。
例えば、ブリーフタイプではなく、トランクスタイプをもともと好む装着者の場合、おむつ等を装着した場合、脚周りが圧迫感されると感じる場合がある。しかし、本実施形態では、脚周りがゆったりしているのでこのような圧迫感を感じない。
【００５５】
（８）例えば、腰のゴム部分に紙おむつが取り付けられている場合、紙おむつが尿を吸収すると、紙おむつが重くなり、腰のゴム部分に重力がかかる。この重力により使い捨て衣類がずれ落ちることを防止するため、ウエストギャザーは通常の下着と比べて締め付けが強い。しかし、本実施形態の使い捨て衣類は、吸収体１０が直接ウエストギャザーに取り付けられていないため、ウエストギャザーを強くする必要がない。
【００５６】
（９）本実施形態では、尿等を吸収可能な使い捨て衣類であるが、外観が通常の衣類と同様であるので、使い捨て衣類だけを着用した状態でいても、紙おむつを装着しただけの状態と比べると、違和感がない。
すなわち、本実施形態の使い捨て衣類１は、他の使い捨て衣類と比べて、フィット感のみならず外観も優れている。
【００５７】
（１０）第２弾性部２７は、下部が自由端であるので、第１弾性部２６を伸長させて胴部開口部２１を開き、上部から胴部開口部２１を見ると、すり鉢状に見える、このため、脚を入れる部分が目視しやすく、はきやすい
【００５８】
（１１）外装体２０は、側部に開口部２９を有しているので、そこから手を入れて第２弾性部２７を折り返すことができ、第２弾性部２７の長さを調整することができる。すなわち、昼の場合、動きやすいように第２弾性部２７を折り返して短くしておく。一方、夜の場合、第２弾性部２７を折り返さずに長くしておくことで、吸収体１０をしっかりと押さえることができ、吸収体１０を装着者Ｐに密着させて、尿等の漏れを防止することができる。
【００５９】
（１２）本実施形態で吸収体１０は、外装体２０との外側部２０Ａに直接接合されていない。すなわち、吸収体１０と外装体の外側部２０Ａとの間に隙間がある。このため、尿等を吸収して吸収体１０が膨張しても、外装体２０の外からは見分けにくく、外観に与える影響が少ない。
【００６０】
（１３）本実施形態によると、吸収体１０が第２弾性部２７に着脱可能な場合、装着者Ｐ自身が、吸収体１０を第２弾性部２７の上下方向の任意の位置に取り付けることが容易にできるため、例えば吸収体１０を相対的に下方に取り付けることにより昼用、吸収体１０を相対的に上方に取り付けることにより漏れにくい夜用の使い捨て衣類を、容易に切り替えて使用することができる。
【００６１】
（１４）本実施形態によると、吸収体１０の縫い目等が外装体２０に形成されないので、外観が損なわれない。
【００６２】
（第２実施形態）
次に、本発明の第２実施形態について説明する。第２実施形態の全体的な構成も第１実施形態と同様である。第１実施形態と異なる点は、第２弾性部の構造である。
【００６３】
図９（ａ）は、第２実施形態における外装体の胴部開口部付近の部分断面図であり、第１実施形態の図６に対応する図である。第２実施形態が、第１実施形態と異なる点は、第２弾性部２２７が横方向のみならず縦方向（上下方向）にも伸縮可能である点である。なお、縦方向に伸縮可能とは、縦方向に伸びる成分を有するという意味であり、全体として斜め方向に伸縮可能なものも含む。
本実施形態よると、第１実施形態の効果に加え、第２弾性部２２７が縦方向にも伸縮可能であるので、この弾性によって吸収体１０の位置を身体にフィットさせることができるという効果がある。
【００６４】
（第３実施形態）
次に、本発明の第３実施形態について説明する。第３実施形態の全体的な構成も第１実施形態と同様である。第１実施形態と異なる点は、吸収体３１０の構造である。図９（ｂ）は、第３実施形態における外装体の胴部開口部付近の部分断面図であり、第１実施形態の図６に対応する図である。
【００６５】
第３実施形態が、第１実施形態と異なる点は、吸収体３１０の端部が、縦方向にも伸縮可能である点である。なお、縦方向に伸縮可能とは、縦方向に伸びる成分を有するという意味であり、全体として斜め方向に伸縮可能なものも含む。
【００６６】
本実施形態よると、第１実施形態の効果に加え、吸収体３１０の端部が縦方向にも伸縮可能であるので、この弾性によって吸収体３１０の位置を身体にフィットさせることができるという効果がある。
【００６７】
（第４実施形態）
次に、本発明の第４実施形態について説明する。第４実施形態の全体的な構成も第１実施形態と同様である。第１実施形態と異なる点は、第２弾性部４２７の構造である。図９（ｃ）は、第４実施形態における外装体の胴部開口部付近の部分断面図であり、第１実施形態の図６に対応する図である。
第４実施形態が、第１実施形態と異なる点は、第２弾性部４２７が、上部においては横方向に伸縮可能であるが、下部においては縦方向（上下方向）に伸縮可能である点である。なお、縦方向に伸縮可能とは、縦方向に伸びる成分を有するという意味であり、全体として斜め方向に伸縮可能なものも含む。
本実施形態よると、第１実施形態の効果に加え、第２弾性部４２７が縦方向にも伸縮可能であるので、吸収体１０の位置を弾性によって身体にフィットさせることができるという効果がある。
【００６８】
（第５実施形態）
次に、本発明の第５実施形態について説明する。第５実施形態が第１実施形態と異なる点は、第２弾性部５２７の構造である。図１０は、第５実施形態の使い捨て衣類５０１の説明図であり、（ａ）は使い捨て衣類５０１の外観図であり、（ｂ）は使い捨て衣類５０１の断面図である。
【００６９】
本実施形態では、第１実施形態と比べて第２弾性部５２７の幅が広く、吸収体５１０を包み込んでいる。そして、第２弾性部５２７は、下端において中央部５２８ａが前後で固定され、脚開口部が２つ形成されている。
【００７０】
本実施形態によると、吸収体５１０の全長を被覆するので、吸収体５１０の全体を装着者Ｐに密着させることができ、吸収体５１０の位置ずれが生じにくい。したがって、装着者が寝返りを打つなどして体位を変更した場合においても、吸収体５１０の位置ずれが生じにくく、尿漏れ等が生じにくくなるので使い捨て衣類５０１の交換頻度を少なくすることができる。
【００７１】
ブリーフよりもトランクス型を好むものは、脚周りの締め付けを好まない場合が多い。また、紙おむつの場合、脚回りに締め付け感がある。
本実施形態によると、おむつ型でないので、脚回りの締め付け感が少ないが、おむつ型のように吸収体をしっかり押さえることができる。
【００７２】
（第６実施形態）
次に、本発明の第６実施形態について説明する。図１０は第６実施形態の使い捨て衣類６０１の外観図である。第６実施形態が第１実施形態と異なる点は、両端の領域がそれぞれ第２弾性部の幅方向中央よりも上部に取り付けられ、その取り付けられた部分より下部が、第２弾性部に対して非取付状態である保持シート６０２を備え、吸収体６１０が、その保持シート６０２に対して着脱可能である点である。
【００７３】
この第６実施形態によると、吸収体６１０の位置を、適宜調整することにより、各自の体形に合った位置に吸収体６１０を配置することができる。また、異なる種類の吸収体６１０を用意し、吸収体６１０を交換することにより、例えば、昼と夜とで異なる吸収体６１０を使用したりすることができる。
【００７４】
以上、説明した実施形態及び変形形態は、適宜組み合わせて用いることもできるが、詳細な説明は省略する。また、本発明は以上説明した実施形態によって限定されることはない。
【符号の説明】
【００７５】
１，５０１，６０１：使い捨て衣類、１０，１１０，３１０，５１０，６１０：吸収体、１１：トップシート、１２：バックシート、１３：吸水性コア、１４：折り部、１５：ゴム部材、２０：外装体、２０Ａ：外側部、２０Ｂ：折曲部、２０Ｃ：第２外装体、２１：胴部開口部、２２：脚部開口部、２３：前身頃、２４：後身頃、２５：マチ部、２６：外装体、２６：第１弾性部、２６ａ：不織布、２６ｂ：弾性部材、２６ｃ：吸収材、２６ｃ：延出部、２７，２２７，４２７，５２７：第２弾性部、２８:接合部、２９：開口部、１２１：胴部開口部、５２８ａ：中央部、６０２：保持シート
【図１】
0006277102.tif 000002
【図２】
0006277102.tif 000003
【図３】
0006277102.tif 000004
【図４】
0006277102.tif 000005
【図５】
0006277102.tif 000006
【図６】
0006277102.tif 000007
【図７】
0006277102.tif 000008
【図８】
0006277102.tif 000009
【図９】
0006277102.tif 000010
【図１０】
0006277102.tif 000011
【図１１】
0006277102.tif 000012